(57)【要約】【課題】  装置本体内にアクセスするための扉開閉に用いられる回動中心としてのヒンジにおいて、あらかじめ設定された３つの角度範囲においてそれぞれ自動的に閉まる方向への付勢力、自立保持する制動力、自動的に開く方向への付勢力が働くようにすることで、メンテナンスや紙詰まり処理時に扉が作業者の邪魔をしないようにすることで作業性を向上させる。【解決手段】  内部にばねと付勢力を発生させるカムを内蔵したヒンジを扉のヒンジとして配置する。【選択図】  図２
2007187815.tif 000002
【特許請求の範囲】
【請求項１】
装置本体内を開放させる装置本体外装を兼ねる扉のヒンジにおいて、
第１の角度範囲において扉が自動的に閉まる方向に扉に付勢力を発生させ、
第２の角度範囲において扉が自立保持するように回動に対して抵抗力を発生させ、
第３の角度範囲において扉が自動的に開く方向に扉に付勢力を発生させることを特徴とした扉ヒンジを備えた画像形成装置。
【請求項２】
前記扉ヒンジは付勢力を発生させるヒンジ部分を扉と略一体に形成され、ヒンジ自身には嵌合穴が設けられ、装置本体側に設けられた軸と嵌合することにより位置が決められることを特徴とする請求項１に記載の画像形成装置。
【請求項３】
前記装置本体に設けられた軸には溝が設けられ、軸がヒンジに嵌合した後にヒンジ側にスライド可能に設けられた固定部材により溝と固定部材が嵌合することにより扉が固定されることを特徴とする請求項２に記載の画像形成装置。
【発明の詳細な説明】
【技術分野】
【０００１】
本発明は電子写真複写機やプリンター等の画像形成装置に設けられる、本体内部を開放する扉の構成に関する。
【背景技術】
【０００２】
従来、図４に示すように複写機等の画像形成装置１０において、紙詰まり等のトラブルが発生したり、トナー切れ等のメンテナンス作業をしたりしなければならなくなった際、ディスプレイ９０にメッセージを表示し、あるいは更に処理手順を表示することによって作業者に対して装置の復旧を促すようになっている。作業者はディスプレイに表示される手順にそって装置内部を開放させるために装置前面もしくは側面に設けられた扉を開くことによって、装置内に通常装備されている回転ツマミや解除レバー、解除ボタンを操作することにより、トラブルの原因になった紙を除去したり、メンテナンスを行ったりすることが出来る。扉は通常扉に設けられた軸と装置本体に設けられた軸と勘合する軸受により回動自在に支持されか、もしくは扉に設けられた軸受と、装置本体に設けられた軸に勘合する軸受により回動自在に支持される。
【０００３】
従来例としては、例えば特許文献１と特許文献２をあげることが出来る。
【特許文献１】特開２００５−１６５１０９号公報
【特許文献２】特開２０００−１９１１６２号公報
【発明の開示】
【発明が解決しようとする課題】
【０００４】
しかしながら上記従来例では装置のメンテナンスや、紙詰まり等で扉を開放した際に、扉が回動自在に支持されているだけでは、作業者が作業中に扉に触れてしまった場合、扉が閉まってきたり、もしくは仮閉めしていた扉が勝手に開いてきたりして、作業者の作業を阻害することがあり、処理性・操作性が悪いという問題点があった。
【課題を解決するための手段】
【０００５】
装置本体内を開放させる装置本体外装を兼ねる扉のヒンジにおいて、第１の角度範囲において扉が自動的に閉まる方向に扉に付勢力を発生させ、第２の角度範囲において扉が自立保持するように回動に対して抵抗力を発生させ、第３の角度範囲において扉が自動的に開く方向に扉に付勢力を発生させることを特徴とした扉ヒンジを備えた画像形成装置による。
【０００６】
（作用）
以上の構成を持つことにより、作業時に扉が勝手に閉まったり、または仮閉めしている扉が勝手に開いてきたりして作業を阻害することがなくなり、作業者の作業効率の向上を達成することができる。これによりメンテナンスや紙詰まり処理の作業時間短縮させ、作業コストの低減、ダウンタイムの減少を達成することができる。
【発明の効果】
【０００７】
以上の構成を持つことにより、画像形成装置本体のメンテナンス時もしくは紙詰まり処理時に扉を開けて作業する際に、扉が開位置で自立保持され、作業時に作業者の手が触れても勝手に扉が閉まってきて作業を阻害したり、仮閉めしておいた扉が勝手に開いてきて作業者の作業を阻害もしくは近傍の通行を阻害したりすることなくなり、作業者の作業効率を向上させることが出来るようになり、装置本体のダウンタイムの短縮を達成することができる。
【発明を実施するための最良の形態】
【０００８】
以下、本発明を適用した画像形成装置の一実施形態について図面を参照して説明する。
【０００９】
図１は本発明を適用した扉の概略構成を示す斜視図である。
【００１０】
まず、図４を用いて複写機の概略構成について説明する。図４に示す複写機１０は複写機本体１１の上部に読み取り位置となる原稿台１２上に原稿を自動的に送り込む自動原稿給送装置１３を開閉可能に備えている。従って、前記読み取り位置となる原稿台１２上への原稿のセットは、前記自動原稿給送装置１３を用いて自動的に行ってもよいし、あるいはユーザーが前記自動原稿給送装置１３を開閉させて原稿台１２上に直接原稿をセットしてもよい。
【００１１】
前記原稿台１２の下部には原稿の画像を読み取るための光学読み取り系１４が配設されている。この光学読み取り系１４は、前記原稿台１２に沿って移動し該原稿台１２上にセットされた原稿の画像面に光を照射する光源、その反射光（画像光）を画像読み込み装置14ａへと導くミラー及びレンズ等を有している。画像読み込み装置１４ａで読み込まれた画像は電気的な信号に変換され、画像書き込み装置１４ｂへ伝達され、画像読み込み装置１４ｂは受け取った信号を元に感光ドラム１５上に静電画像を形成する。
【００１２】
前記画像形成部の感光体ドラム１５の周囲には、プロセス手段としての帯電手段１６、現像手段１７及びクリーニング手段１８、さらには転写手段１９等が配設されている。この画像形成部では、まず帯電手段１６によって感光体ドラム１５の表面が一様に帯電され、この感光体ドラム１５上に前記画像書き込み装置14ｂによって読み取られた画像が照射されて潜像が形成される。そして、現像手段１７によって前記潜像が現像されて感光体ドラム１５上にトナー像が形成される。この画像形成動作と同期するようにしてシート材Ｓが送り込まれ、転写手段１９によって感光体ドラム１５上のトナー像が転写される。尚、転写後に感光体ドラム１５上に残留したトナーはクリーニング手段１８によって除去される。
【００１３】
前記シート材Sは、複写機本体１１の下部に引き出し収納可能に装着されたシート材収容装置としてのカセット１、２、３、４に収容され、あるいは複写機本体１１の側部（図３中右側）に着脱自在に装着された大容量デッキ５に収容されている。これら多種サイズのシート材Sは、個々に設けられた給送手段としてのピックアップローラ６及び給送ローラ対７によって選択的に給送されるようになっており、最上位から順次１枚づつ給送されるようになっている。該シート材Sは、搬送手段としての搬送ローラ対２０、レジストローラ対２１等によって前記画像形成部へと送り込まれ、前述したようにトナー像が転写される。転写後、前記シート材Sは搬送ベルト２２によって定着手段２３へと送り込まれ、前記トナー像が定着される。定着後、前記シート材Sは排出ローラ対２４によって機外に排出される。
【００１４】
尚、ここで、前記シート材の両面に画像を記録形成する場合には、前記排出ローラ対２４の手前側に配設されたフラッパーや、反転ローラ対等からなる反転搬送手段２６によって、前記定着後のシート材Sの表裏面が反転されて再搬送路２７に送り込まれ、搬送手段としての搬送ローラ対２８〜３１によって再び画像形成部へ給送されるようになっている。画像形成部に送り込まれたシート材Sは、前述したように転写・定着が行われた後、機外へと排出される。
【００１５】
また、シート材Sは複写機本体側面に回動収納自在に装着されたシート材積載部としての手差しトレイ４０にも積載収納されている。シート材Sは手差しトレイ４０に設けられた給送手段としてのピックアップローラ６及び給送ローラ対７によって給送されるようになっており、最上位から順次１枚づつ給送されるようになっている。該シート材Sは、搬送手段としての搬送ローラ対２０、レジストローラ対２１等によって前記画像形成部へと送り込まれ、前述したようにトナー像が転写される。
【００１６】
次に扉の構成について図１を用いて説明する。画像形成装置本体１０１のメンテナンス時に装置本体１０１内へアクセスするため、もしくは紙詰まり時に詰まった紙を取り除くために画像装置本体１０１内へアクセスするために開閉される扉１０２は画像形成装置本体１０１に対してヒンジ１０３を介して回動自在に取り付けられる。扉下部には図示しないヒンジと略回動中心を等しくしたヒンジピンが設けられ、扉１０２はヒンジ１０３及びヒンジピンにて支持されている。図１に示すヒンジは図２に示すように画像形成装置本体１０１に設けられたヒンジ取り付け部材２０１に取り付く上部ヒンジケース２０２と扉に取り付けられる下部ヒンジケース２０３からなる。画像形成装置本体１０１に設けられたヒンジ取り付け部材２０１は上部ヒンジケース２０２に貫通して取り付けられる図３に示す嵌合ピン３０１と嵌合ピン３０１が一体的に取り付けられたピン支板２０８とピン支板２０８と締結部材３０２によって一体的に取り付けられるベース部材（２０１）からなり、前記ベース部材とピン支板２０８は画像形成装置本体１０１に対して水平方向に嵌合ピン３０１の位置を調整して取り付けることが可能なようにベース部材には丸長穴３０３が設けられている。また嵌合ピン３０１には嵌合ピン３０１自身よりも径の小さい溝３０４が設けられている。
【００１７】
また、上部ヒンジケース２０２には嵌合ピン３０１が嵌合するように嵌合穴３０５が設けられており、上部ヒンジケース２０２の嵌合穴３０５の設けられた面と略平行にロック部材３０６が配置される。ロック部材３０６は上部ヒンジケース２０２に対して上下方向にスライド可能なように設けられ、ロック部材３０６にも嵌合ピン３０１が貫通可能なように嵌合穴３０７が設けられている。ロック部材３０６には嵌合穴３０７の上部に嵌合ピン３０１の溝３０４が案内されるためのガイド穴３０８が設けられており、上部ヒンジケース２０２及びロック部材３０６を貫通して嵌合ピン３０１が挿入された際にロック部材３０６が下方へスライドすることでガイド穴３０８が嵌合ピン３０１の溝３０４に嵌合し、嵌合ピン３０１が上部ヒンジケース２０２より抜けないように固定する。また、嵌合ピン３０１の溝３０４とロック部材３０６のガイド穴３０８が嵌合した位置において、ロック部材３０６が振動や衝撃により移動しないようにロック部材３０６に設けられたラッチアーム３０９が上部ヒンジケース２０２に設けられた図示しないラッチ溝に入り込む。
【００１８】
上部ヒンジケース２０２及び下部ヒンジケース２０３内部にはカム２０４とカム２０４を加圧・付勢するばね２０５が設けられる。カム２０４はばね２０５の付勢力により上部ヒンジケース２０２に押し付けられ、ヒンジの回動角度に従ってあらかじめ設定されたカムプロファイルと上部ヒンジケース２０２に設けられた角２０２ａによりヒンジに対して開く方向もしくは閉じる方向に対してモーメントを発生させる。上部ヒンジケース２０２と下部ヒンジケース２０３及びカム２０４、ばね２０５はそれぞれを貫通する軸２０６により位置決めされ、軸２０６の両端には上部ヒンジケース２０２、下部ヒンジケース２０３、カム２０４ばね２０５が軸２０６から抜けないように抜け止め部材２０７ａ、２０７ｂが設けられている。本実施例においてはヒンジ開度０°から３０°の範囲において2N・ｍのモーメントが閉じる方向に作用し、ヒンジ開度７０°から１１０°の範囲においては２N・ｍのモーメントが開く方向に作用し、ヒンジ開度３０°から７０°の範囲においては０.８N・ｍの保持力が扉に対して働くようにカムプロファイルを設定してある。
【００１９】
なお、ヒンジは同じようにモーメントを発生させる構成であれば上記に示す本構成と必ずしも同じ必要はなく、また、同じ効果を出す目的であれば扉にモーメントを与える角度は本構成と必ずしも同じ必要はない。
【図面の簡単な説明】
【００２０】
【図１】本発明の実施例の分離爪構成を説明する斜視図
【図２】本発明の実施例のヒンジ取り付け部を説明する斜視図
【図３】本発明の実施例のヒンジ取り付け部を説明する斜視図
【図４】複写機の概略構成を説明する図
【符号の説明】
【００２１】
１  シート材収容装置
２  シート材収容装置
３  シート材収容装置
４  シート材収容装置
５  大容量シート材収容装置
６  ピックアップローラ
７  給送ローラ対
１０  画像形成装置
１１  画像形成装置本体
１２  原稿台
１３  自動原稿給送装置
１４  光学読み取り系
１４ａ  原稿読取装置
１４ｂ  画像書き込み装置
１５  感光ドラム
１６  帯電手段
１７  現像手段
１８  クリーニング装置
１９  転写装置
２０  搬送ローラ対
２１  レジローラ対
２２  搬送ベルト
２３  定着手段
２４  排出ローラ対
２６  反転搬送手段
２７  再搬送路
２８  再搬送ローラ対
２９  再搬送ローラ対
３０  再搬送ローラ対
３１  再搬送ローラ対
４０  手差しトレイ
１０１  画像形成装置本体
１０２  扉
１０３  ヒンジ
２０１  ヒンジ取り付け部材
２０２  上部ヒンジケース
２０２ａ  角
２０３  下部ヒンジケース
２０４  ばね
２０５  カム
２０６  軸
２０７ａ  抜け止め部材
２０７ｂ  抜け止め部材
２０８  ピン支板
３０１  嵌合ピン
３０２  締結部材
３０３  長穴
３０４  溝
３０５  嵌合穴
３０６  ロック部材
３０７  嵌合穴
３０８  ガイド穴
３０９  ラッチアーム
【図１】
2007187815.tif 000003
【図２】
2007187815.tif 000004
【図３】
2007187815.tif 000005
【図４】
2007187815.tif 000006